【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
データファイルを解析し、その解析結果に基づいて前記データファイルから複数の表示項目にそれぞれ対応する関連情報を抽出するデータ解析部と、
前記関連情報に基づいて前記複数の表示項目を複数のグループに分類するグループ生成部と、
前記複数のグループのなかから１つのグループを着目グループとして順次選択するグループ選択部と、
前記着目グループが選択される毎に、前記着目グループに属する当該表示項目を強調表示する表示形式で画面に表示される表示画像を生成する表示画像生成部と、
入力装置への第１の情報入力の有無を監視する入力監視部と
を備え、
前記関連情報は、当該表示項目の表示位置を指定する情報を含み、
前記複数の表示項目は、それぞれの当該表示位置に基づいて分類され、
前記グループ生成部は、前記第１の情報入力が検出された時点で選択されている当該着目グループに属する表示項目を複数の新グループに分類する分類処理を実行し、
前記グループ選択部は、前記複数の新グループのなかから着目新グループを順次選択する選択処理を実行し、
前記表示画像生成部は、前記複数の新グループのなかから前記着目新グループが選択される毎に、前記複数の新グループのうち前記着目新グループ以外のグループに属する当該表示項目よりも前記着目新グループに属する当該表示項目を強調表示する表示形式で前記画面に表示されるべき表示画像を生成する画像処理を実行し、
前記グループ生成部、前記グループ選択部及び前記表示画像生成部は、前記着目新グループに属する当該表示項目の個数が所定数以下となるまで、前記分類処理と前記選択処理と前記画像処理とを含む一連の処理を反復して実行する、
ことを特徴とする映像表示装置。
【請求項２】
請求項１に記載の映像表示装置であって、前記所定数は１個であることを特徴とする映像表示装置。
【請求項３】
請求項１または２に記載の映像表示装置であって、
前記グループ生成部は、前記表示項目と前記グループとの対応関係を示すテーブルを生成し、
前記グループ選択部は、前記テーブルを用いて前記着目グループを順次選択する、
ことを特徴とする映像表示装置。
【請求項４】
請求項１から３のうちのいずれか１項に記載の映像表示装置であって、
通信ネットワークを介して複数のデータサーバのいずれかとの通信リンクを確立するネットワーク通信部と、
前記ネットワーク通信部を介して前記データサーバから前記データファイルを取得するデータ取得部と
をさらに備えることを特徴とする映像表示装置。
【請求項５】
請求項４に記載の映像表示装置であって、
前記関連情報は、前記通信ネットワークにおけるデータファイルの所在位置を示すリンク情報を含み、
前記データ取得部は、前記着目新グループに属する当該表示項目の個数が１つに絞り込まれたとき、前記１つの表示項目に対応する当該リンク情報で指定される新たなデータファイルを前記データサーバから取得する、
ことを特徴とする映像表示装置。
【請求項６】
請求項１から３のうちのいずれか１項に記載の映像表示装置であって、
外部の送信装置から送信された前記データファイルを受信しバッファメモリに格納する受信部と、
前記バッファメモリから前記データファイルを取得するデータ取得部と
をさらに備えることを特徴とする映像表示装置。
【請求項７】
請求項６に記載の映像表示装置であって、
前記関連情報は、前記受信部で取得されたデータファイルを指定する内部リンク情報を含み、
前記データ取得部は、前記着目新グループに属する当該表示項目の個数が１つに絞り込まれたとき、前記１つの表示項目に対応する当該内部リンク情報で指定される新たなデータファイルを前記バッファメモリから取得する、
ことを特徴とする映像表示装置。
【請求項８】
請求項１から７のうちのいずれか１項に記載の映像表示装置であって、前記入力監視部は、前記第１の情報入力とは異なる第２の情報入力を検出したとき、前記一連の処理を反復して実行する動作モードを解除させることを特徴とする映像表示装置。
【請求項９】
請求項１から８のうちのいずれか１項に記載の映像表示装置であって、前記入力装置は、ユーザによる操作入力がなされる操作入力装置であることを特徴とする映像表示装置。
【請求項１０】
請求項１から９のうちのいずれか１項に記載の映像表示装置であって、前記データファイルは、マークアップ言語で記述された情報を有する構造化データファイルを含むことを特徴とする映像表示装置。
【請求項１１】
請求項１０に記載の映像表示装置であって、前記データファイルは、表示制御情報を有するスタイルシートファイルをさらに含むことを特徴とする映像表示装置。
【請求項１２】
データファイルを解析し、その解析結果に基づいて前記データファイルから複数の表示項目にそれぞれ対応する関連情報を抽出するステップと、
前記関連情報に基づいて前記複数の表示項目を複数のグループに分類するステップと、
前記複数のグループのなかから１つのグループを着目グループとして順次選択するステップと、
前記着目グループが選択される毎に、前記着目グループに属する当該表示項目を強調表示する表示形式で画面に表示される表示画像を生成するステップと、
入力装置への第１の情報入力の有無を監視するステップと、
前記第１の情報入力が検出された時点で選択されている当該着目グループに属する表示項目を複数の新グループに分類する分類処理を実行するステップと、
前記複数の新グループのなかから着目新グループを順次選択する選択処理を実行するステップと、
前記複数の新グループのなかから前記着目新グループが選択される毎に、前記複数の新グループのうち前記着目新グループに属する当該表示項目を強調表示する表示形式で前記画面に表示される表示画像を生成する画像処理を実行するステップと
を含み、
前記関連情報は、当該表示項目の表示位置を指定する情報を含み、
前記複数の表示項目は、それぞれの当該表示位置に基づいて分類され、
前記分類処理を実行するステップと前記選択処理を実行するステップと前記画像処理を実行するステップとを含む一連のステップは、前記着目新グループに属する当該表示項目の個数が所定数以下となるまで反復して実行される、
ことを特徴とする映像表示方法。
【請求項１３】
請求項１２に記載の映像表示方法であって、
通信ネットワークを介して複数のデータサーバのいずれかとの通信リンクを確立するステップと、
前記通信リンクの確立後に前記データサーバから前記データファイルを取得するステップと
をさらに備えることを特徴とする映像表示方法。
【請求項１４】
請求項１３に記載の映像表示方法であって、
前記着目新グループに属する当該表示項目の個数が１つに絞り込まれたとき、前記１つの表示項目に対応する当該関連情報に含まれるリンク情報で指定される特定のデータサーバとの通信リンクを確立するステップと、
前記特定のデータサーバから、前記特定のデータファイルを取得するステップと
をさらに含み、
前記リンク情報は、前記通信ネットワークにおけるデータファイルの所在位置を示す情報である、
ことを特徴とする映像表示方法。
【請求項１５】
請求項１３または１４に記載の映像表示方法であって、
外部の送信装置から送信された前記データファイルを受信しバッファメモリに格納するステップと、
前記バッファメモリから前記データファイルを取得するステップと
をさらに含むことを特徴とする映像表示方法。
【請求項１６】
請求項１５に記載の映像表示方法であって、前記着目新グループに属する当該表示項目の個数が１つに絞り込まれたとき、前記１つの表示項目に対応する当該関連情報に含まれる内部リンク情報で指定されるデータファイルを前記バッファメモリから取得するステップをさらに含むことを特徴とする映像表示方法。
【請求項１７】
請求項１３から１６のうちのいずれか１項に記載の映像表示方法であって、
前記第１の情報入力とは異なる第２の情報入力の有無を監視するステップと、
前記第２の情報入力が検出されたとき、前記一連のステップを反復して実行する動作モードを解除させるステップと
をさらに含むことを特徴とする映像表示方法。
【請求項１８】
コンピュータ読み取り可能な記録媒体から読み出されて、請求項１２から１７のうちのいずれか１項に記載の映像表示方法のステップをプロセッサに実行させることを特徴とする映像表示制御用プログラム。
【請求項１９】
請求項１８に記載の映像表示制御用プログラムを記録したことを特徴とするコンピュータ読み取り可能な記録媒体。
【手続補正２】
【補正対象書類名】明細書
【補正対象項目名】００１２
【補正方法】変更
【補正の内容】
【００１２】
本発明による映像表示装置は、データファイルを解析し、その解析結果に基づいて前記データファイルから複数の表示項目にそれぞれ対応する関連情報を抽出するデータ解析部と、前記関連情報に基づいて前記複数の表示項目を複数のグループに分類するグループ生成部と、前記複数のグループのなかから１つのグループを着目グループとして順次選択するグループ選択部と、前記着目グループが選択される毎に、前記着目グループに属する当該表示項目を強調表示する表示形式で画面に表示される表示画像を生成する表示画像生成部と、入力装置への第１の情報入力の有無を監視する入力監視部とを備え、前記関連情報は、当該表示項目の表示位置を指定する情報を含み、前記複数の表示項目は、それぞれの当該表示位置に基づいて分類され、前記グループ生成部は、前記第１の情報入力が検出された時点で選択されている当該着目グループに属する表示項目を複数の新グループに分類する分類処理を実行し、前記グループ選択部は、前記複数の新グループのなかから着目新グループを順次選択する選択処理を実行し、前記表示画像生成部は、前記複数の新グループのなかから前記着目新グループが選択される毎に、前記複数の新グループのうち前記着目新グループ以外のグループに属する当該表示項目よりも前記着目新グループに属する当該表示項目を強調表示する表示形式で前記画面に表示されるべき表示画像を生成する画像処理を実行し、前記グループ生成部、前記グループ選択部及び前記表示画像生成部は、前記着目新グループに属する当該表示項目の個数が所定数以下となるまで、前記分類処理と前記選択処理と前記画像処理とを含む一連の処理を反復して実行することを特徴とする。
【手続補正３】
【補正対象書類名】明細書
【補正対象項目名】００１３
【補正方法】変更
【補正の内容】
【００１３】
本発明による映像表示方法は、データファイルを解析し、その解析結果に基づいて前記データファイルから複数の表示項目にそれぞれ対応する関連情報を抽出するステップと、前記関連情報に基づいて前記複数の表示項目を複数のグループに分類するステップと、前記複数のグループのなかから１つのグループを着目グループとして順次選択するステップと、前記着目グループが選択される毎に、前記着目グループに属する当該表示項目を強調表示する表示形式で画面に表示される表示画像を生成するステップと、入力装置への第１の情報入力の有無を監視するステップと、前記第１の情報入力が検出された時点で選択されている当該着目グループに属する表示項目を複数の新グループに分類する分類処理を実行するステップと、前記複数の新グループのなかから着目新グループを順次選択する選択処理を実行するステップと、前記複数の新グループのなかから前記着目新グループが選択される毎に、前記複数の新グループのうち前記着目新グループに属する当該表示項目を強調表示する表示形式で前記画面に表示される表示画像を生成する画像処理を実行するステップとを含み、前記関連情報は、当該表示項目の表示位置を指定する情報を含み、前記複数の表示項目は、それぞれの当該表示位置に基づいて分類され、前記分類処理を実行するステップと前記選択処理を実行するステップと前記画像処理を実行するステップとを含む一連のステップは、前記着目新グループに属する当該表示項目の個数が所定数以下となるまで反復して実行されることを特徴とする。